(57)【特許請求の範囲】
【請求項１】
グラフ表示領域とグラフ式表示領域とからなる表示部を有するグラフ表示装置において、
グラフモードが設定された状態で、複数のグラフ式にそれぞれ対応する複数のグラフを前記表示部のグラフ表示領域に描画表示するように制御するグラフ表示制御手段と、
このグラフ表示制御手段の制御により描画表示された複数のグラフのなかからいずれかのグラフを選択するグラフ選択手段と、
このグラフ選択手段によりいずれかのグラフが選択された後に、前記表示部のグラフ式表示領域のいずれかの位置を指定させるために操作される位置指定手段と、
前記グラフ選択手段により選択されたグラフに対応するグラフ式を保存するとともに、前記グラフ式表示領域の前記位置指定手段により指定された位置にこの保存されたグラフ式を表示する保存表示制御手段と、
この保存表示制御手段によりグラフ式がメモリに保存された状態で、当該グラフモード以外の他のモードでの処理が行なわれた後、再度グラフモードを設定するグラフモード設定手段と、
このグラフモード設定手段により再度グラフモードが設定された状態で、前記保存表示制御手段により保存されたグラフ式を読み出して当該グラフ式に対応するグラフを再度描画表示するように制御するグラフ再表示制御手段と、
を具備したことを特徴とするグラフ表示装置。
【請求項２】
前記グラフ選択手段により選択されたグラフ上にポインタを表示するように制御するポインタ表示制御手段を備えたことを特徴とする請求項１に記載のグラフ表示装置。
【請求項３】
グラフ表示領域とグラフ式表示領域とからなる表示部を有するグラフ表示装置に用いられるグラフ表示制御方法において、
グラフモードが設定された状態で、複数のグラフ式にそれぞれ対応する複数のグラフを前記表示部のグラフ表示領域に描画表示するように制御するグラフ表示制御ステップと、
このグラフ表示制御ステップでの制御によりグラフ表示領域に描画表示された複数のグラフのなかからいずれかのグラフを選択するグラフ選択ステップと、
このグラフ選択ステップによりいずれかのグラフが選択された後に、前記表示部のグラフ式表示領域のいずれかの位置を指定させるために操作される位置指定ステップと、
前記グラフ選択ステップにて選択されたグラフに対応するグラフ式を保存するとともに、前記グラフ式表示領域の前記位置指定ステップにて指定された位置にこの保存されたグラフ式を表示する保存表示制御ステップと、
この保存表示制御ステップによりグラフ式がメモリに保存された状態で、当該グラフモード以外の他のモードでの処理が行なわれた後、再度グラフモードを設定するグラフモード設定ステップと、
このグラフモード設定ステップにより再度グラフモードが設定された状態で、前記保存表示制御ステップにより保存されたグラフ式を読み出して当該グラフ式に対応するグラフを再度描画表示するように制御するグラフ再表示制御ステップと、
からなることを特徴とするグラフ表示制御方法。
【請求項４】
グラフ表示領域とグラフ式表示領域とからなる表示部を有するグラフ表示装置のコンピュータを制御するためのグラフ表示制御プログラムを記録した記録媒体であって、
前記コンピュータを、
グラフモードが設定された状態で、複数のグラフ式にそれぞれ対応する複数のグラフを前記表示部のグラフ表示領域に描画表示するように制御するグラフ表示制御手段、
このグラフ表示制御手段の制御によりグラフ表示領域に描画表示された複数のグラフのなかからいずれかのグラフを選択するグラフ選択手段、
このグラフ選択手段によりいずれかのグラフが選択された後に、前記表示部のグラフ式表示領域のいずれかの位置を指定させるために操作される位置指定手段、
前記グラフ選択手段により選択されたグラフに対応するグラフ式を保存するとともに、前記グラフ式表示領域の前記位置指定手段により指定された位置にこの保存されたグラフ式を表示する保存表示制御手段、
この保存表示制御手段によりグラフ式がメモリに保存された状態で、当該グラフモード以外の他のモードでの処理が行なわれた後、再度グラフモードを設定するグラフモード設定手段、
このグラフモード設定手段により再度グラフモードが設定された状態で、前記保存表示制御手段により保存されたグラフ式を読み出して当該グラフ式に対応するグラフを再度描画表示するように制御するグラフ再表示制御手段、
として機能させるためのグラフ表示制御プログラムを記録した記録媒体。
【発明の詳細な説明】
【０００１】
【発明の属する技術分野】
本発明は、グラフデータを表示するグラフ表示装置、グラフ表示制御方法、及びグラフ表示制御プログラムを記録した記録媒体に関する。
【０００２】
【従来の技術】
関数計算機能を備えた電子計算機において、グラフモードを設定して任意の関数式や統計データ等を入力し、グラフの描画を指示すると、当該入力された関数式や統計データに対応するグラフが描画表示されるグラフ関数電卓なる電子計算機が実用化されている。
【０００３】
そして、このようなグラフ関数電卓では、複数の関数式を入力してグラフの描画を行なった際には、該複数の関数式のそれぞれに対応した複数のグラフが重なって描画表示されるようになっている。
【０００４】
【発明が解決しようとする課題】
しかしながら、前記従来のグラフ表示機能を有する電子計算機では、グラフモードにおいて入力された複数の関数式のそれぞれに対応した複数のグラフを描画表示できるものの、グラフモードによるグラフ描画処理を一旦終了し、他のモード（例えば計算モード）への切り換えを行なうと、前記グラフモードにおいて描画表示されたグラフデータはすべて消去されるため、予め描画表示された任意のグラフデータを保存しておき、それ以降、必要に応じて読み出して利用することはできない問題がある。
【０００５】
本発明は、前記のような問題に鑑みなされたもので、任意のグラフデータを必要に応じて保存し、適宜読み出して利用することが可能になるグラフ表示装置、グラフ表示制御方法、及びグラフ表示制御プログラムを記録した記録媒体を提供することを目的とする。
【０００６】
【課題を解決するための手段】
すなわち、本発明に係わるグラフ表示装置は、グラフ表示領域とグラフ式表示領域とからなる表示部を有するグラフ表示装置において、グラフモードが設定された状態で、複数のグラフ式にそれぞれ対応する複数のグラフを前記表示部のグラフ表示領域に描画表示するように制御するグラフ表示制御手段と、このグラフ表示制御手段の制御により描画表示された複数のグラフのなかからいずれかのグラフを選択するグラフ選択手段と、このグラフ選択手段によりいずれかのグラフが選択された後に、前記表示部のグラフ式表示領域のいずれかの位置を指定させるために操作される位置指定手段と、前記グラフ選択手段により選択されたグラフに対応するグラフ式を保存するとともに、前記グラフ式表示領域の前記位置指定手段により指定された位置にこの保存されたグラフ式を表示する保存表示制御手段と、この保存表示制御手段によりグラフ式がメモリに保存された状態で、当該グラフモード以外の他のモードでの処理が行なわれた後、再度グラフモードを設定するグラフモード設定手段と、このグラフモード設定手段により再度グラフモードが設定された状態で、前記保存表示制御手段により保存されたグラフ式を読み出して当該グラフ式に対応するグラフを再度描画表示するように制御するグラフ再表示制御手段と、を備えたことを特徴とする。
【０００７】
つまり、本発明に係わるグラフ表示装置では、グラフモードが設定された状態で複数のグラフ式にそれぞれ対応する複数のグラフを表示部のグラフ表示領域に描画表示させ、この描画表示された複数のグラフのなかからいずれかのグラフを選択して、グラフ式表示領域のいずれかの位置を指定すると、この選択されたグラフに対応するグラフ式が保存されるとともに、グラフ式表示領域の指定された位置にこの保存されたグラフ式が表示されるので、選択したグラフのグラフ式を指定された位置に表示させて確認した上で、グラフ式を適切に保存することができる。またグラフ式が保存された状態で他のモードでの処理を行なった後、再度グラフモードを設定して、保存されたグラフ式を読み出して対応するグラフを再度描画表示させることができ、グラフ表示領域に描画表示させたグラフを他のモードの処理を行った後でも、再利用することができる。
【０００８】
【発明の実施の形態】
以下図面により本発明の実施の形態について説明する。
図１は本発明のグラフ表示装置の実施形態に係わる関数計算機能付き電子計算機の電子回路の構成を示すブロック図である。
【０００９】
この電子計算機は、コンピュータ等からなる制御部（ＣＰＵ）１１を備えている。
制御部（ＣＰＵ）１１は、キー入力部１２から入力されるキー入力データや、カラー表示を行なうことができる液晶表示部１３の表示画面上に重ねて設けられたタブレット１４から位置検出回路１５を介して入力されるタッチペンによるタッチ位置データに応じて、ＲＯＭ１６に予め記憶されているシステムプログラムを起動させ、あるいは外部記録媒体２０に予め記憶されている計算機制御用プログラムを記録媒体読み取り部１９により読み取らせて起動させ、ＲＡＭ１７をワークメモリとして回路各部の動作制御を行なうものである。
【００１０】
この制御部（ＣＰＵ）１１には、前記キー入力部１２、液晶表示部１３、タブレット１４、位置検出回路１５、ＲＯＭ１６、ＲＡＭ１７、記録媒体読み取り部１９が接続され、また、液晶表示部１３は表示駆動回路１８を介して接続される。
【００１１】
キー入力部１２には、テンキー，アルファベットキー，演算子キー，関数キー等の文字・記号キー群からなるデータ入力キー１２ａが備えられると共に、任意の関数式に対応するグラフ表示処理を行なうグラフモード，任意の入力式に対応する計算処理を行なう計算モード，任意の入力プログラムに対応する計算処理を行なうプログラムモード等の各種動作モードを選択設定する際に操作される「モード」キー１２ｂ、前記グラフモードにおいて入力された関数式に対応するグラフの描画を指示する際に操作される「グラフ」キー１２ｃ、前記グラフモードにおいては任意のグラフデータの保存機能の実行を指示する際に操作される「実行」キー１２ｄ、前記グラフ保存機能を設定する際に操作される「ＳＴＯ」キー１２ｅ、前記グラフ保存機能の実行により記憶保存されたグラフデータを呼び出すためのグラフ呼び出し機能を設定する際に操作される「ＰＣＬ」キー１２ｆ、表示されたデータの選択，送り操作やポインタＰ，カーソルＫの移動操作を行なう際に操作される上下左右の各カーソルキー（「↑」１２ｇ、「↓」１２ｈ、「←」１２ｉ、「→」１２ｊ）等が備えられる。
【００１２】
タブレット１４は、液晶表示部１３の表示画面上に重ねて設けられ、ペンによりタッチされた位置に応じた電圧信号を発生するもので、このタブレット１４から出力されるタッチ位置に応じた電圧信号に基づき、位置検出回路１５により表示画面に対応させた座標が検出され、このタッチ位置座標に応じて制御部（ＣＰＵ）１１により操作の内容が判断される。
【００１３】
ＲＯＭ１６には、本電子計算機の電子回路におけるの全体の処理を司るシステムプログラムデータが予め記憶されると共に、図２及び図３に示す、グラフモード等、各種の動作モードの処理を司るサブプログラムデータである制御プログラムデータも予め記憶される。
【００１４】
ＲＡＭ１７には、液晶表示部１３に表示すべき表示データがビットマップのパターンデータとして記憶される表示データメモリ１７ａ、グラフモード処理において入力された複数のグラフ式（関数式）データがその個々の表示指定色と対応付けられて記憶されるグラフ式データメモリ１７ｂ、オペレータにより任意に入力され、前記グラフ式データメモリ１７ｂに記憶されたグラフ式に対応するグラフデータの描画範囲を指定するレンジデータ（Ｘｍｉｎ，Ｘｍａｘ，Ｙｍｉｎ，Ｙｍａｘ）が記憶されるレンジデータメモリ１７ｃ、グラフ式データメモリ１７ｂに記憶されたグラフ式に対応するグラフデータがビットマップのパターンデータとして描画されて記憶されるグラフデータメモリ１７ｄ、グラフモードにおけるグラフ保存機能の設定状態において上下カーソルキー「↑」１２ｇ，「↓」１２ｈの操作により選択された前記グラフ式データメモリ１７ｂ内の１つのグラフ式を指定するアドレス番号が記憶される選択グラフメモリ１７ｅ、グラフモードにおけるグラフ保存機能の設定実行に際し前記選択グラフメモリ１７ｅにて指定されたグラフ式と対応する表示指定色からなるグラフデータが記憶保存されるグラフ保存メモリ１７ｆ、このグラフ保存メモリ１７ｆに対するグラフデータの保存先のアドレス番号が左右カーソルキー「←」１２ｉ，「→」１２ｊの操作により選択されて記憶される保存番号メモリ１７ｇ、及び各種動作モードの制御処理に伴ない制御部（ＣＰＵ）１１により入出力されるデータを一時的に記憶するワークメモリ等のデータメモリが備えられる。
【００１５】
次に、前記構成による関数計算機能付き電子計算機の動作について説明する。図２は前記電子計算機のグラフモード処理におけるグラフデータの描画，保存機能を示すフローチャートである。
【００１６】
図３は前記電子計算機のグラフモード処理における保存グラフデータの呼び出し描画機能を示すフローチャートである。
図４は前記電子計算機におけるグラフデータの描画，保存機能に伴なう操作表示状態を示す図である。
【００１７】
図５は前記電子計算機における保存グラフデータの呼び出し描画機能に伴なう操作表示状態を示す図である。
まず、図４（Ａ）に示すように、キー入力部１２の「モード」キー１２ｂの操作によりグラフモードが設定されると、液晶表示部１３に対してグラフ式の入力画面が表示される。このグラフ式の入力画面が表示された状態で、キー入力部１２のデータ入力キー１２ａを操作して任意のグラフ式を、例えば１「Ｙ＝Ｘ」，２「Ｙ＝Ｘ2 」，３「Ｙ＝ｓｉｎＸ」として入力し表示させると共に、各グラフ式に対して図示しない色指定キーによりその表示色を指定すると、入力されたそれぞれのグラフ式データとその表示色データとは対応付けられて、ＲＡＭ１７内のグラフ式データメモリ１７ｂに対し順次記憶される（ステップＳ１→Ｓ２，Ｓ３）。
【００１８】
また、図４（Ｂ）に示すように、前記データ入力キー１２ａを操作して前記入力されたグラフ式をグラフ化するための座標レンジを、例えばＸｍｉｎ「−１０」，Ｘｍａｘ「１０」，Ｙｍｉｎ「−１０」，Ｙｍａｘ「１０」として入力し表示させると、このそれぞれの座標レンジデータは順次ＲＡＭ１７内のレンジデータメモリ１７ｃに記憶される（ステップＳ１→Ｓ２，Ｓ３）。
【００１９】
こうして、ＲＡＭ１７内のグラフ式データメモリ１７ｂに対して、例えば３つのグラフ式１「Ｙ＝Ｘ」，２「Ｙ＝Ｘ2 」，３「Ｙ＝ｓｉｎＸ」が入力され記憶された状態で、図４（Ｃ）に示すように、キー入力部１２の「グラフ」キー１２ｃが操作されると、前記レンジデータメモリ１７ｃに記憶された表示画面上での設定座標レンジに基づき、前記３つのグラフ式それぞれの描画軌跡であるＸ，Ｙ座標が個々に計算され、グラフデータメモリ１７ｄに対してビットマップのグラフデータとして順次描画されて書き込まれ、液晶表示部１３に対し表示される（ステップＳ４→Ｓ５，Ｓ６，Ｓ７）。
【００２０】
本実施形態の場合、Ｙ１（Ｙ＝Ｘ）のグラフデータはその指定色の青（Ｂ）で、Ｙ２（Ｙ＝Ｘ2 ）のグラフデータはその指定色の赤（Ｒ）で、Ｙ３（Ｙ＝ｓｉｎＸ）のグラフデータはその指定色の緑（Ｇ）でカラー表示される。
【００２１】
そして、図４（Ｄ）に示すように、キー入力部１２の「ＳＴＯ」キー１２ｅが操作されると、任意のグラフデータを保存するためのグラフ保存機能が設定され、ＲＡＭ１７内のグラフ保存メモリ１７ｆに用意されているグラフデータの複数の保存先であるメモリ番号「１」〜「６」を示す識別バー２１が、グラフ表示画面の下端に沿って表示されると共に、第１のグラフデータＹ１を指定するポインタＰが表示され、当該ポインタ表示されたグラフデータに対応するグラフ式「Ｙ１＝Ｘ」も表示される（ステップＳ８→Ｓ９，Ｓ１０，Ｓ１１）。
【００２２】
この場合、前記ポインタＰにより指定されたグラフデータのアドレス番号が、選択グラフメモリ１７ｅにセットされる。
ここで、例えば第２のグラフデータ「Ｙ２＝Ｘ2 」を選択して保存するために、図４（Ｅ）に示すように、キー入力部１２の上カーソルキー「↑」１２ｇが操作されると、前記メモリ番号「１」〜「６」を示す識別バー２１の表示状態であることによりグラフ保存機能の設定表示状態であることが判断され、前記第１のグラフデータＹ１上に初期表示されていたポインタＰが第２のグラフデータＹ２上に移動して指定表示されると共に、当該ポインタＰにより指定表示されたグラフデータに対応するグラフ式「Ｙ２＝Ｘ2 」も表示される（ステップＳ１２→Ｓ１３→Ｓ１４，Ｓ１５）。
【００２３】
この際、前記選択グラフメモリ１７ｅには、ポインタＰにより新たに指定された第２のグラフデータＹ２の記憶されているアドレス番号「２」がセットされる。
【００２４】
なお、ポインタＰにより指定されたグラフデータの保存先であるグラフ保存メモリ１７ｆのメモリ番号は、識別バー２１において保存エリア「１」に初期設定されており、反転表示により示される。
【００２５】
そして、前記ポインタＰにより指定された第２のグラフデータＹ２の保存先を保存エリア「２」に設定するために、図４（Ｆ）に示すように、キー入力部１２における右カーソルキー「→」１２ｊが操作されると、前記識別バー２１の表示状態であることによりグラフ保存機能の設定表示状態であることが判断され、保存先として指定表示されるメモリ番号の反転表示位置が前記初期設定での保存エリア「１」から「２」に切り換えられて表示される（ステップＳ１６→Ｓ１７→Ｓ１８）。
【００２６】
この際、保存番号メモリ１７ｇには、前記右カーソルキー「→」１２ｊにより指定されて反転表示されたグラフ保存メモリ１７ｆ内のメモリ番号「２」がセットされる。
【００２７】
こうして、保存すべきグラフデータが第２のグラフデータＹ２としてポインタＰにより指定表示されると共に、その保存先エリアがメモリ番号「２」として識別バー２１の対応部分が反転表示された状態で、キー入力部１２における「実行」キー１２ｄが操作されると、前記識別バー２１の表示状態であることによりグラフ保存機能の設定表示状態であることが判断され、前記選択グラフメモリ１７ｅにセットされたアドレス番号「２」に対応してポインタＰにより指定された第２のグラフデータＹ２のグラフ式「Ｙ＝Ｘ2 」とその表示色データ「Ｒ」とが、保存番号メモリ１７ｇにセットされ識別バー２１の反転表示により示されるメモリ番号「２」に対応するグラフ保存メモリ１７ｆ内の第２保存エリアに対して記憶されて保存される（ステップＳ１９→Ｓ２０→Ｓ２１）。
【００２８】
すると、この第２グラフデータＹ２の保存先に対応するメモリ番号「２」の表示位置に、当該メモリ番号「２」に対応してグラフ保存メモリ１７ｆに記憶された第２のグラフデータＹ２のグラフ式「Ｙ＝Ｘ2 」が識別バー２１に表示される（ステップＳ２２）。
【００２９】
このように、ＲＡＭ１７内のグラフ保存メモリ１７ｆに任意のグラフデータ「Ｙ＝Ｘ2 」を記憶保存させた状態で、当該グラフモード以外の他のモードでの処理が行なわれた後、図５（Ａ）に示すように、再び「モード」キー１２ｂの操作によりグラフモードが設定され、任意のグラフ式「Ｙ＝１／３Ｘ」が入力表示されると共に、図５（Ｂ）に示すように、そのＸＹ座標レンジが入力表示されると、前記ステップＳ１〜Ｓ３と同様の処理を経て、前記入力されたグラフ式「Ｙ＝１／３Ｘ」がＲＡＭ１７内のグラフ式データメモリ１７ｂに新たに記憶されると共に、前記入力されたＸＹ座標レンジがレンジデータメモリ１７ｃに新たに記憶される。
【００３０】
そして、図５（Ｃ）に示すように、キー入力部１２の「グラフ」キー１２ｃが操作されると、前記レンジデータメモリ１７ｃに記憶された表示画面上での設定座標レンジに基づき、前記グラフ式データメモリ１７ｂに記憶されたグラフ式「Ｙ＝１／３Ｘ」の描画軌跡であるＸ，Ｙ座標が計算され、グラフデータメモリ１７ｄに対してビットマップのグラフデータとして描画されて書き込まれ、液晶表示部１３に対し表示される（ステップＳ４→Ｓ５，Ｓ６，Ｓ７）。
【００３１】
ここで、図５（Ｄ）に示すように、キー入力部１２の「ＰＣＬ」キー１２ｆが操作されると、保存されたグラフデータを呼び出すためのグラフ呼び出し機能が設定され、ＲＡＭ１７内のグラフ保存メモリ１７ｆにおけるグラフデータの複数の保存先アドレスを示すメモリ番号「１」〜「６」の識別バー２１が、グラフ表示画面の下端に沿って表示されると共に、グラフデータが保存されているメモリ番号「２」の位置に対応して当該保存されているグラフ式「Ｙ＝Ｘ2 」が表示される（ステップＳ２３→Ｓ２４，Ｓ２５）。
【００３２】
こうして、グラフ保存メモリ１７ｆのメモリ番号「２」に対応する保存エリアに「Ｙ＝Ｘ2 」なるグラフ式が保存されていることが表示された状態で、図５（Ｅ）に示すように、キー入力部１２のデータ入力キー１２ａにおける数値キーの「２」が操作されると、前記識別バー２１の表示状態であることによりグラフ呼び出し機能の設定表示状態であることが判断され、グラフ保存メモリ１７ｆ内のメモリ番号「２」に対応して記憶保存されているグラフ式「Ｙ＝Ｘ2 」に応じたグラフの描画座標データが、前記レンジデータメモリ１７ｃに記憶された新たなＸＹ座標レンジに基づき計算され、グラフデータメモリ１７ｄに対し、前記新たに入力されたグラフ式「Ｙ＝１／３Ｘ」のグラフデータと共に重ねて描画され液晶表示部１３に表示されると共に、そのグラフ式「Ｙ＝Ｘ2 」も表示される（ステップＳ２６→Ｓ２７→Ｓ２８，Ｓ２９）。
【００３３】
したがって、前記構成の関数計算機能付き電子計算機によれば、複数のグラフ式及びそのＸＹ座標レンジを入力して「グラフ」キー１２ｃを操作すると、入力された座標レンジに応じて各グラフ式のそれぞれに対応するグラフの描画位置データが計算されて液晶表示部１３に表示される。そして、「ＳＴＯ」キー１２ｅの操作の後、任意のグラフをポインタＰで指定すると共にグラフ保存メモリ１７ｆ内のメモリ番号を指定して「実行」キー１２ｄを操作すると、ポインタ指定されたグラフのグラフ式がグラフ保存メモリ１７ｆにおける指定されたメモリ番号の保存エリアに記憶されて保存され、他のグラフ描画処理に際し、「ＰＣＬ」キー１２ｆを操作して前記グラフ式が保存されたメモリ番号を指定すると、当該指定されたメモリ番号の保存エリアに記憶保存されているグラフ式が読み出され、その時点での設定座標レンジに応じたグラフの描画位置データが計算されてグラフ表示されるので、予め作成描画されたグラフデータを保存しておき、必要に応じて読み出して利用できるようになる。
【００３４】
また、前記構成の関数計算機能付き電子計算機によれば、グラフ保存メモリ１７ｆにそのメモリ番号を指定して記憶されたグラフ式は、液晶表示部１３の下端に表示される識別バー２１の対応する番号位置に表示されるので、グラフ保存メモリ１７ｆ内の何れの保存エリアに何のグラフ式が保存されているのかを容易に確認できるようになる。
【００３５】
なお、前記実施形態において記載した手法、すなわち、図２，図３のフローチャートに示すグラフモード処理等の各手法は、コンピュータに実行させることができるプログラムとして、メモリカード（ＲＯＭカード、ＲＡＭカード等）、磁気ディスク（フロッピーディスク、ハードディスク等）、光ディスク（ＣＤ−ＲＯＭ、ＤＶＤ等）、半導体メモリ等の外部記録媒体２０に格納して配布することができる。そして、コンピュータは、この外部記録媒体２０に記録されたプログラムを記録媒体読み取り部１９によって読み込み、この読み込んだプログラムによって動作が制御されることにより、前記実施形態において説明したグラフ描画，保存，呼び出し機能を実現し、前述した手法による同様の処理を実行することができる。
【００３６】
【発明の効果】
以上のように、本発明に係わるグラフ表示装置によれば、グラフモードが設定された状態で複数のグラフ式にそれぞれ対応する複数のグラフを表示部のグラフ表示領域に描画表示させ、この描画表示された複数のグラフのなかからいずれかのグラフを選択して、グラフ式表示領域のいずれかの位置を指定すると、この選択されたグラフに対応するグラフ式が保存されるとともに、グラフ式表示領域の指定された位置にこの保存されたグラフ式が表示されるので、選択したグラフのグラフ式を指定された位置に表示させて確認した上で、グラフ式を適切に保存することができる。またグラフ式が保存された状態で他のモードでの処理を行なった後、再度グラフモードを設定して、保存されたグラフ式を読み出して対応するグラフを再度描画表示させることができ、グラフ表示領域に描画表示させたグラフを他のモードの処理を行った後でも、再利用することが可能になる。
【図面の簡単な説明】
【図１】本発明のグラフ表示装置の実施形態に係わる関数計算機能付き電子計算機の電子回路の構成を示すブロック図。
【図２】前記電子計算機のグラフモード処理におけるグラフデータの描画，保存機能を示すフローチャート。
【図３】前記電子計算機のグラフモード処理における保存グラフデータの呼び出し描画機能を示すフローチャート。
【図４】前記電子計算機におけるグラフデータの描画，保存機能に伴なう操作表示状態を示す図。
【図５】前記電子計算機における保存グラフデータの呼び出し描画機能に伴なう操作表示状態を示す図。
【符号の説明】
１１  …制御部（ＣＰＵ）、
１２  …キー入力部、
１２ａ…データ入力キー、
１２ｂ…「モード」キー、
１２ｃ…「グラフ」キー、
１２ｄ…「実行」キー、
１２ｅ…「ＳＴＯ」キー、
１２ｆ…「ＰＣＬ」キー、
１２ｇ〜１２ｈ…カーソルキー、
１３  …液晶表示部、
１４  …タブレット、
１５  …位置検出回路、
１６  …ＲＯＭ、
１７  …ＲＡＭ、
１７ａ…表示データメモリ、
１７ｂ…グラフ式データメモリ、
１７ｃ…レンジデータメモリ、
１７ｄ…グラフデータメモリ、
１７ｅ…選択グラフメモリ、
１７ｆ…グラフ保存メモリ、
１７ｇ…保存番号メモリ、
１９  …記録媒体読み取り部、
２０  …外部記録媒体、
２１  …識別バー。
【図１】
0003658947.tif 000002
【図２】
0003658947.tif 000003
【図３】
0003658947.tif 000004
【図４】
0003658947.tif 000005
【図５】
0003658947.tif 000006